(57)【要約】      （修正有）【課題】波長資源を有効に活用可能なオンデマンド光パス通信方法および転送装置を提供する。【解決手段】エッジ転送装置１−１とコア転送装置２−１は、それぞれ制御系インタフェース及びデータ系インタフェースを有し、受信したパケットを制御系インタフェースとデータ系インタフェースに分離して転送する。エッジ転送装置１−１とコア転送装置２−１は、光パスが設定されていない未学習の宛先アドレスを持つ第１のデータパケットを受信した場合に、このパケットを受信したインタフェース以外の制御系インタフェースに第１のデータパケットを転送し、第１のデータパケットの受信に応じて制御パケットである光パス設定要求パケットを生成し、第１のデータパケットを受信したインタフェース以外の制御系インタフェースに光パス設定要求パケットを送信する。【選択図】  図１
2007251474.tif 000002
【特許請求の範囲】
【請求項１】
ネットワークと接続された１つ以上の制御系インタフェース及び１つ以上のデータ系インタフェースを有し、受信したパケットを前記制御系インタフェースと前記データ系インタフェースに分離して転送する転送装置において、前記データ系インタフェースに対して光パスを設定／開放するオンデマンド光パス通信方法であって、
光パスが設定されていない未学習の宛先アドレスを持つ第１のデータパケットを受信した場合に、このパケットを受信したインタフェース以外の前記制御系インタフェースに前記第１のデータパケットを転送する第１の転送手順と、
前記第１のデータパケットの受信に応じて制御パケットである光パス設定要求パケットを生成し、前記第１のデータパケットを受信したインタフェース以外の前記制御系インタフェースに前記光パス設定要求パケットを送信する光パス設定要求送信手順とを備えることを特徴とするオンデマンド光パス通信方法。
【請求項２】
請求項１記載のオンデマンド光パス通信方法において、
さらに、前記第１のデータパケットの宛先アドレスを発信元アドレスとして持ち、かつ前記第１のデータパケットの発信元アドレスを宛先アドレスとして持つ第２のデータパケットを受信した場合に、このパケットの宛先アドレスに対応する前記制御系インタフェースに前記第２のデータパケットを転送する第２の転送手順と、
前記光パス設定要求パケットと前記第２のデータパケットの受信に応じて制御パケットである光パス設定応答パケットを生成し、前記第２のデータパケットの宛先アドレスに対応する前記制御系インタフェースに前記光パス設定応答パケットを送信する光パス設定応答送信手順と、
他の転送装置から前記光パス設定応答パケットを受信した場合に、この光パス設定応答パケットの発信元に対応する前記データ系インタフェースに対して光パスを設定する光パス設定手順とを備えることを特徴とするオンデマンド光パス通信方法。
【請求項３】
請求項２記載のオンデマンド光パス通信方法において、
さらに、前記光パス設定要求パケットを送信してから規定時間内に、他の転送装置から前記第２のデータパケットを受信しない場合は、前記光パス設定応答パケットの待ち状態を解除する光パス設定要求解除手順を備えることを特徴とするオンデマンド光パス通信方法。
【請求項４】
請求項２記載のオンデマンド光パス通信方法において、
前記転送装置は、ユーザ転送装置に接続されるユーザインタフェースと、前記制御系インタフェースと、前記データ系インタフェースと、前記制御系インタフェースを介した前記制御パケットの転送を制御すると共に、前記制御系インタフェース又はデータ系インタフェースを介した前記データパケットの転送を制御する制御部とを有するエッジ転送装置であることを特徴とするオンデマンド光パス通信方法。
【請求項５】
請求項４記載のオンデマンド光パス通信方法において、
さらに、設定済みの光パスを用いたデータパケットの転送が一定期間内に発生しない場合は、制御パケットである光パス解除要求パケットをこの光パスの接続先に対応する前記制御系インタフェースに送信する光パス解除要求起動手順を備えることを特徴とするオンデマンド光パス通信方法。
【請求項６】
請求項５記載のオンデマンド光パス通信方法において、
さらに、他の転送装置から前記光パス解除要求パケットを受信した場合に、この光パス解除要求パケットに対応する光パスを開放する光パス開放手順を備えることを特徴とするオンデマンド光パス通信方法。
【請求項７】
請求項２記載のオンデマンド光パス通信方法において、
前記転送装置は、前記制御系インタフェースと、前記データ系インタフェースと、異なるデータ系インタフェース間を接続して前記光パスによるデータパケットの転送を行う光パススイッチと、前記制御系インタフェースを介した前記制御パケットの転送を制御すると共に、前記制御系インタフェース又は前記光パススイッチを介した前記データパケットの転送を制御する制御部とを有するコア転送装置であることを特徴とするオンデマンド光パス通信方法。
【請求項８】
請求項７記載のオンデマンド光パス通信方法において、
さらに、他の転送装置から光パス解除要求パケットを受信した場合に、この光パス解除要求パケットに対応する光パスを開放する光パス開放手順と、
前記光パス解除要求パケットの受信に応じて、別の光パス解除要求パケットを生成し、生成した光パス解除要求パケットを前記開放した光パスの接続先に対応する制御系インタフェースに送信する光パス解除要求送信手順とを備えることを特徴とするオンデマンド光パス通信方法。
【請求項９】
ネットワークと接続された１つ以上の制御系インタフェース及び１つ以上のデータ系インタフェースを有し、受信したパケットを前記制御系インタフェースと前記データ系インタフェースに分離して転送する転送装置において、
光パスが設定されていない未学習の宛先アドレスを持つ第１のデータパケットを受信した場合に、このパケットを受信したインタフェース以外の前記制御系インタフェースに前記第１のデータパケットを転送する第１のデータパケット転送手段と、
前記第１のデータパケットの受信に応じて制御パケットである光パス設定要求パケットを生成し、前記第１のデータパケットを受信したインタフェース以外の前記制御系インタフェースに前記光パス設定要求パケットを送信する光パス設定要求送信手段とを備えることを特徴とする転送装置。
【請求項１０】
請求項９記載の転送装置において、
さらに、前記第１のデータパケットの宛先アドレスを発信元アドレスとして持ち、かつ前記第１のデータパケットの発信元アドレスを宛先アドレスとして持つ第２のデータパケットを受信した場合に、このパケットの宛先アドレスに対応する前記制御系インタフェースに前記第２のデータパケットを転送する第２のデータパケット転送手段と、
前記光パス設定要求パケットと前記第２のデータパケットの受信に応じて制御パケットである光パス設定応答パケットを生成し、前記第２のデータパケットの宛先アドレスに対応する前記制御系インタフェースに前記光パス設定応答パケットを送信する光パス設定応答送信手段と、
他の転送装置から前記光パス設定応答パケットを受信した場合に、この光パス設定応答パケットの発信元に対応する前記データ系インタフェースに対して光パスを設定する光パス設定手段とを備えることを特徴とする転送装置。
【発明の詳細な説明】
【技術分野】
【０００１】
本発明は、光バースト・スイッチ技術を用いたオンデマンド光パス通信方法および転送装置に関するものである。
【背景技術】
【０００２】
現在、標準化団体においてＧＭＰＬＳ（Generalized Multi Protocol Label Switching）と呼ばれる通信装置間に光パスを設定するためのプロトコルが制定されている。ＧＭＰＬＳでは光パスが必要な端点の通信装置を指定して光パスの生成を指示する。ＧＭＰＬＳを用いて光パスを生成するための第１の方法は、制御システムを介してネットワークのオペレータが通信装置の対地間にホップ・バイ・ホップに光パスを設定する方法である。第２の方法は、ＯＳＰＦ（Open Shortest Path First）などのＩＰ（Internet Protocol ）通信で用いられるルーティング・プロトコルを用いて経路を決定し、その経路に従ってＧＭＰＬＳを用いてホップ・パイ・ホップに光パスを自動的に設定する方法である（例えば非特許文献１、非特許文献２参照）。
【０００３】
一方、光パスの切り替えを行う光スイッチ技術の進展により光パスを数ミリ秒で切替可能な光バースト・スイッチ技術が利用可能になっている（例えば特許文献１、特許文献２参照）。光バースト・スイッチ技術により少ない波長数を効率的に使い回すことにより波長資源を有効に活用することが検討されている。また、光バーストスイッチにより波長資源を時分割して転送装置間をフルメッシュ的に接続する技術も検討されている。
【０００４】
【特許文献１】特開２００３−２５８７４１号公報
【特許文献２】特開２００３−３３３０７８号公報
【非特許文献１】宮村他，「ＧＭＰＬＳにおけるＩｎｔｅｒ−ａｒｅａＬＳＰ設定方式の検討」，２００４年電子情報通信学会総合大会，Ｂ−６−１５５，ｐ．１５５，２００４年
【非特許文献２】今宿他，「ＲＳＶＰ−ＴＥベースＭ：Ｎリストレーションプロトコルの検討」，２００４電子情報通信学会総合大会，Ｂ−１０−８７，ｐ．４５８，２００４年
【発明の開示】
【発明が解決しようとする課題】
【０００５】
しかし、前記第１の方法では、通信を行っていない端末間もしくは拠点間にも常に光パスが設定されることになり、光パスに用いる有限な波長資源を有効に活用することができないという問題点があった。
同様に、第２の方法においても、ＩＰ経路は障害時や設備の追加時を除いては静的であるので、光パスも静的であり、通信の有無に係らず光パスが張られており、光パスに用いる有限な波長資源を有効に活用することができない。また、光バースト・スイッチ技術の実用的な用途も故障時の高速な経路迂回や波長衝突の回避に留まっている。また、時分割によるフルメッシュ接続のエミュレーションでは通信が行われていない対地間にも光パスが設定されるため、波長資源の一部が無駄になる。
【０００６】
このように、従来の光パス設定方法では光バースト・スイッチ技術による波長資源の有効活用ができないという問題点があった。
そこで、本発明は、上記の問題に鑑みてなされたものであり、アドレス学習による転送先決定手順に基づいて通信開始時に動的に光パスを生成し、規定時間内に通信が行われない場合には光パスを解除することで、波長資源を有効に活用可能なオンデマンド光パス通信方法および転送装置を提供することを目的とする。
【課題を解決するための手段】
【０００７】
本発明は、ネットワークと接続された１つ以上の制御系インタフェース及び１つ以上のデータ系インタフェースを有し、受信したパケットを前記制御系インタフェースと前記データ系インタフェースに分離して転送する転送装置において、前記データ系インタフェースに対して光パスを設定／開放するオンデマンド光パス通信方法であって、光パスが設定されていない未学習の宛先アドレスを持つ第１のデータパケットを受信した場合に、このパケットを受信したインタフェース以外の前記制御系インタフェースに前記第１のデータパケットを転送する第１の転送手順と、前記第１のデータパケットの受信に応じて制御パケットである光パス設定要求パケットを生成し、前記第１のデータパケットを受信したインタフェース以外の前記制御系インタフェースに前記光パス設定要求パケットを送信する光パス設定要求送信手順とを備えるものである。
また、本発明のオンデマンド光パス通信方法の１構成例は、さらに、前記第１のデータパケットの宛先アドレスを発信元アドレスとして持ち、かつ前記第１のデータパケットの発信元アドレスを宛先アドレスとして持つ第２のデータパケットを受信した場合に、このパケットの宛先アドレスに対応する前記制御系インタフェースに前記第２のデータパケットを転送する第２の転送手順と、前記光パス設定要求パケットと前記第２のデータパケットの受信に応じて制御パケットである光パス設定応答パケットを生成し、前記第２のデータパケットの宛先アドレスに対応する前記制御系インタフェースに前記光パス設定応答パケットを送信する光パス設定応答送信手順と、他の転送装置から前記光パス設定応答パケットを受信した場合に、この光パス設定応答パケットの発信元に対応する前記データ系インタフェースに対して光パスを設定する光パス設定手順とを備えるものである。
【０００８】
また、本発明のオンデマンド光パス通信方法の１構成例は、さらに、前記光パス設定要求パケットを送信してから規定時間内に、他の転送装置から前記第２のデータパケットを受信しない場合は、前記光パス設定応答パケットの待ち状態を解除する光パス設定要求解除手順を備えるものである。
また、本発明のオンデマンド光パス通信方法の１構成例において、前記転送装置は、ユーザ転送装置に接続されるユーザインタフェースと、前記制御系インタフェースと、前記データ系インタフェースと、前記制御系インタフェースを介した前記制御パケットの転送を制御すると共に、前記制御系インタフェース又はデータ系インタフェースを介した前記データパケットの転送を制御する制御部とを有するエッジ転送装置である。
また、本発明のオンデマンド光パス通信方法の１構成例は、さらに、設定済みの光パスを用いたデータパケットの転送が一定期間内に発生しない場合は、制御パケットである光パス解除要求パケットをこの光パスの接続先に対応する前記制御系インタフェースに送信する光パス解除要求起動手順を備えるものである。
また、本発明のオンデマンド光パス通信方法の１構成例は、さらに、他の転送装置から前記光パス解除要求パケットを受信した場合に、この光パス解除要求パケットに対応する光パスを開放する光パス開放手順を備えるものである。
【０００９】
また、本発明のオンデマンド光パス通信方法の１構成例において、前記転送装置は、前記制御系インタフェースと、前記データ系インタフェースと、異なるデータ系インタフェース間を接続して前記光パスによるデータパケットの転送を行う光パススイッチと、前記制御系インタフェースを介した前記制御パケットの転送を制御すると共に、前記制御系インタフェース又は前記光パススイッチを介した前記データパケットの転送を制御する制御部とを有するコア転送装置である。
また、本発明のオンデマンド光パス通信方法の１構成例は、さらに、他の転送装置から光パス解除要求パケットを受信した場合に、この光パス解除要求パケットに対応する光パスを開放する光パス開放手順と、前記光パス解除要求パケットの受信に応じて、別の光パス解除要求パケットを生成し、生成した光パス解除要求パケットを前記開放した光パスの接続先に対応する制御系インタフェースに送信する光パス解除要求送信手順とを備えるものである。
【００１０】
また、本発明は、ネットワークと接続された１つ以上の制御系インタフェース及び１つ以上のデータ系インタフェースを有し、受信したパケットを前記制御系インタフェースと前記データ系インタフェースに分離して転送する転送装置において、光パスが設定されていない未学習の宛先アドレスを持つ第１のデータパケットを受信した場合に、このパケットを受信したインタフェース以外の前記制御系インタフェースに前記第１のデータパケットを転送する第１のデータパケット転送手段と、前記第１のデータパケットの受信に応じて制御パケットである光パス設定要求パケットを生成し、前記第１のデータパケットを受信したインタフェース以外の前記制御系インタフェースに前記光パス設定要求パケットを送信する光パス設定要求送信手段とを備えるものである。
また、本発明の転送装置の１構成例は、さらに、前記第１のデータパケットの宛先アドレスを発信元アドレスとして持ち、かつ前記第１のデータパケットの発信元アドレスを宛先アドレスとして持つ第２のデータパケットを受信した場合に、このパケットの宛先アドレスに対応する前記制御系インタフェースに前記第２のデータパケットを転送する第２のデータパケット転送手段と、前記光パス設定要求パケットと前記第２のデータパケットの受信に応じて制御パケットである光パス設定応答パケットを生成し、前記第２のデータパケットの宛先アドレスに対応する前記制御系インタフェースに前記光パス設定応答パケットを送信する光パス設定応答送信手段と、他の転送装置から前記光パス設定応答パケットを受信した場合に、この光パス設定応答パケットの発信元に対応する前記データ系インタフェースに対して光パスを設定する光パス設定手段とを備えるものである。
【発明の効果】
【００１１】
本発明によれば、転送装置において受信したデータパケットの宛先アドレスが学習済みか未学習かを判定し、光パスが設定されていない未学習の宛先アドレスを持つ第１のデータパケットを受信した場合には、第１のデータパケットを受信したインタフェース以外の制御系インタフェースに第１のデータパケットを転送し、データ系インタフェースに対する光パス設定要求パケットを生成して、第１のデータパケットを受信したインタフェース以外の制御系インタフェースに光パス設定要求パケットを送信するようにしたことにより、未学習の宛先アドレスを持つ第１のデータパケットの伝搬により、光パス設定要求を起動させるようにしたので、通信の対地が不明な場合にも光パス設定要求を伝搬させることができ、通信の開始に合わせて動的にデータ転送用の光パスを設定することができ、波長資源を有効に活用したオンデマンド光パス通信方法を実現することができる。
【００１２】
また、本発明では、第１のデータパケットの宛先アドレスを発信元アドレスとして持ち、かつ第１のデータパケットの発信元アドレスを宛先アドレスとして持つ第２のデータパケットを受信した場合に、このパケットの宛先アドレスに対応する制御系インタフェースに第２のデータパケットを転送する第２の転送手順と、光パス設定要求パケットと第２のデータパケットの受信に応じて制御パケットである光パス設定応答パケットを生成し、第２のデータパケットの宛先アドレスに対応する制御系インタフェースに光パス設定応答パケットを送信する光パス設定応答送信手順と、他の転送装置から光パス設定応答パケットを受信した場合に、この光パス設定応答パケットの発信元に対応するデータ系インタフェースに対して光パスを設定する光パス設定手順とを行うことにより、第２のデータパケットの伝搬経路に沿って光パス設定応答を順次行うようにしたので、必要な対地間にのみ光パスを設定することができる。
【００１３】
また、本発明では、光パス設定要求パケットを送信してから規定時間内に、他の転送装置から第２のデータパケットを受信しない場合は、光パス設定応答パケットの待ち状態を解除する光パス設定要求解除手順を行う。本発明では、通信経路上にない転送装置に光パス設定要求パケットが転送されるが、規定時間内に第２のデータパケットを受信しない場合は、光パス設定応答パケットの待ち状態を解除し、光パス設定要求を解除することで、転送装置の処理負荷を軽減することができ、転送装置のＣＰＵ資源、メモリ資源の無駄な消費を防ぐことができる。
【００１４】
また、本発明では、ユーザ転送装置からのデータパケットを光パスに転送するエッジ転送装置において通信状態を観測し、設定済みの光パスを用いたデータパケットの転送が一定期間内に発生しない場合は、制御パケットである光パス解除要求パケットをこの光パスの接続先に対応する制御系インタフェースに送信する光パス解除要求起動手順を行うことにより、通信が行われていない光パスを動的に開放し、他の区間の通信へ割り当て可能にすることができるので、波長資源を有効活用することができる。
【００１５】
また、本発明では、コア転送装置において他の転送装置から光パス解除要求パケットを受信した場合に、この光パス解除要求パケットに対応する光パスを開放する光パス開放手順と、光パス解除要求パケットの受信に応じて、別の光パス解除要求パケットを生成し、生成した光パス解除要求パケットを開放した光パスの接続先に対応する制御系インタフェースに送信する光パス解除要求送信手順とを行うことにより、光パス解除要求を受信すると光パスの解除を行い、次段の転送装置に光パス解除要求を転送するようにしたので、通信が行われていない光パスを動的に開放し、他の区間の通信へ割り当て可能にすることができるので、波長資源を有効活用することができる。
【発明を実施するための最良の形態】
【００１６】
以下、図面を参照して、本発明のオンデマンド光パス通信方法の実施の形態について説明する。図１は、本発明の実施の形態に係るオンデマンド光パス通信システムを簡略化した構成を示すブロック図である。この通信システムは、エッジ転送装置１−１〜１−ｉ、コア転送装置２−１〜２−ｊ、およびエッジ転送装置１−１〜１−ｉと図示しないユーザの機器とを接続するユーザ転送装置３−１〜３−ｋから構成される（ｉ，ｊ，ｋは任意の自然数）。以下、エッジ転送装置１−１〜１−ｉを総称してエッジ転送装置１とし、コア転送装置２−１〜２−ｊを総称してコア転送装置２とする。
【００１７】
ユーザ転送装置３−１〜３−ｋとエッジ転送装置１とは、光ファイバやツイストペア線等の通信ケーブルにより互いに接続される。エッジ転送装置１またはコア転送装置２の制御系インタフェースは、光ファイバやツイストペア線等の通信ケーブルにより他のエッジ転送装置１または他のコア転送装置２の制御系インタフェースと接続される。また、エッジ転送装置１またはコア転送装置２のデータ系インタフェースは、光ファイバにより他のエッジ転送装置１または他のコア転送装置２のデータ系インタフェースと接続される。
【００１８】
制御系ネットワークおよびデータ系ネットワークはそれぞれ物理的に独立なネットワークであってもよいし、波長多重化技術により１本の光ファイバに多重化された論理的なネットワークであってもよい。エッジ転送装置間は直接繋がれるか１段以上のコア転送装置を介して接続される。具体的な接続形態は図１に示すとおりである。
【００１９】
図２は、エッジ転送装置１の一構成例を示す機能ブロック図である。エッジ転送装置１は、通信ケーブルを介してユーザ転送装置３−１〜３−ｋと接続されるユーザインタフェース４−１〜４−Ｊ、転送制御部５、制御系ネットワークを介してコア転送装置２−１〜２−ｊと接続される制御系インタフェース８−１〜８−Ｋ、およびデータ系ネットワークを介してコア転送装置２−１〜２−ｊと接続されるデータ系インタフェース９−１〜９−Ｌを備えている（Ｊ，Ｋ，Ｌは任意の自然数）。転送制御部５は、第１のデータパケット転送手段、第２のデータパケット転送手段、光パス設定要求送信手段、光パス設定応答送信手段、光パス設定手段、光パス設定要求解除手段、光パス解除要求起動手段、及び光パス開放手段を構成している。以下、ユーザインタフェース４−１〜４−Ｊを総称してユーザインタフェース４とし、制御系インタフェース８−１〜８−Ｋを総称して制御系インタフェース８とし、データ系インタフェース９−１〜９−Ｌを総称してデータ系インタフェース９とする。
【００２０】
転送制御部５は、ユーザ端末装置のアドレスとユーザインタフェース４との対応関係、もしくはユーザ端末装置のアドレスと制御系インタフェース８との対応関係を記憶する制御系転送テーブル６、およびユーザ端末装置のアドレスと光パス情報との対応関係を記憶するデータ系転送テーブル７を有する。
図３は制御系転送テーブル６の一構成例を示す図、図４はデータ系転送テーブル７の一構成例を示す図である。制御系転送テーブル６には、図３に示すように、ＭＡＣ（Media Access Control）アドレスと、ユーザインタフェース４の番号又は制御系インタフェース８の番号とが対応付けて登録されている。また、データ系転送テーブル７には、図４に示すように、ＭＡＣアドレスと光パス情報（ユーザインタフェース４の番号又はデータ系インタフェース９の番号と光パス識別子）とが対応付けて登録されている。
【００２１】
転送制御部５は、制御パケットとデータパケットとを分別し、制御系転送テーブル６に基づいて制御パケットをユーザインタフェース４もしくは制御系インタフェース８に転送し、データ系転送テーブル７に基づいてデータパケットをユーザインタフェース４もしくはデータ系インタフェース９に転送する。
【００２２】
図５は、コア転送装置２の一構成例を示す機能ブロック図である。コア転送装置２は、転送制御部１０、制御系ネットワークを介してエッジ転送装置１または他のコア転送装置と接続される制御系インタフェース１３−１〜１３−Ｍ、データ系ネットワークを介してエッジ転送装置１または他のコア転送装置と接続されるデータ系インタフェース１４−１〜１４−Ｎ、および異なるデータ系インタフェース１４−１〜１４−Ｎ間を接続／切断する光パススイッチ１５から構成される（Ｍ、Ｎは任意の自然数）。転送制御部１０は、第１のデータパケット転送手段、第２のデータパケット転送手段、光パス設定要求送信手段、光パス設定応答送信手段、光パス設定手段、光パス設定要求解除手段、光パス開放手段、及び光パス解除要求送信手段を構成している。以下、制御系インタフェース１３−１〜１３−Ｍを総称して制御系インタフェース１３とし、データ系インタフェース１４−１〜１４−Ｎを総称してデータ系インタフェース１４とする。
【００２３】
転送制御部１０は、ユーザ端末装置のアドレスと制御系インタフェース１３との対応関係を記憶する制御系転送テーブル１１、およびユーザ端末装置のアドレスと光パス情報との対応関係を記憶するデータ系転送テーブル１２を有する。
図６は制御系転送テーブル１１の一構成例を示す図、図７はデータ系転送テーブル１２の一構成例を示す図である。制御系転送テーブル１１には、図６に示すように、ＭＡＣアドレスと制御系インタフェース１３の番号とが対応付けて登録されている。また、データ系転送テーブル１２には、図７に示すように、ＭＡＣアドレスと光パス情報（データ系インタフェース１４の番号と光パス識別子）とが対応付けて登録されている。
【００２４】
転送制御部１０は、制御系転送テーブル１１に基づいて制御パケットを制御系インタフェース１３に転送し、データ系転送テーブル１２に基づいて光パススイッチ１５を設定することで、データ系インタフェース間のデータパケットの中継を行う。
【００２５】
［通信の開始］
次に、図１に示したユーザ転送装置３−１とユーザ転送装置３−５とを例にして、ユーザ転送装置３−１に接続されたパーソナルコンピュータ等の情報端末Ａ（不図示）からユーザ転送装置３−５に接続されたパーソナルコンピュータ等の情報端末Ｂ（不図示）ヘパケットが送信される場合の通信方法を具体的に説明する。図８、図９は本実施の形態のオンデマンド光パス通信システムにおける通信開始時の処理を示すフローチャートである。
【００２６】
この説明例では、端末のアドレスをイーサネット（登録商標）で広く使われているＭＡＣアドレスとする。ユーザ転送装置３−１に接続された情報端末ＡのＭＡＣアドレスをＭＡＣ−Ａ、ユーザ転送装置３−５に接続された情報端末ＢのＭＡＣアドレスをＭＡＣ−Ｂとする。情報端末Ａは、情報端末ＢのＭＡＣアドレスＭＡＣ−Ｂを既知であるとする。また、全てのエッジ転送装置１と全てのコア転送装置２は、情報端末Ａおよび情報端末ＢのＭＡＣアドレスを学習していないとする。
【００２７】
まず、情報端末Ａから情報端末Ｂに向けてパケットＡ／Ｂ（第１のデータパケット）を送出する場合について図８を用いて説明する。情報端末ＡがパケットＡ／Ｂを送出すると（ステップＳ１）、ユーザ転送装置３−１は、情報端末ＡからのパケットＡ／Ｂをエッジ転送装置１−１に転送する（ステップＳ２）。
【００２８】
ユーザインタフェース４を介してパケットＡ／Ｂを受信したエッジ転送装置１−１の転送制御部５は、このパケットＡ／Ｂの宛先アドレスを参照して、既に光パスが設定されている学習済みのアドレス（自装置のデータ系転送テーブル７に登録済みのアドレス）か、光パスが設定されていない未学習のアドレス（データ系転送テーブル７に登録されていないアドレス）かを判定し、未学習のアドレスの場合は、このパケットＡ／Ｂを受信したユーザインタフェース４とパケットＡ／Ｂの発信元ＭＡＣアドレスＭＡＣ−Ａとが対応することを自装置の制御系転送テーブル６に登録する（ステップＳ３）。
【００２９】
また、エッジ転送装置１−１の転送制御部５は、パケットＡ／Ｂの宛先アドレスが未学習の場合、パケットＡ／Ｂを受信したユーザインタフェース４以外のユーザインタフェース４と制御系インタフェース８にパケットＡ／Ｂを転送し（ステップＳ４）、さらにパケットＡ／ＢからＧＭＰＬＳに基づく光パス設定要求パケットを生成して、この光パス設定要求パケットを全ての制御系インタフェース８に送信する（ステップＳ５）。
【００３０】
次に、コア転送装置２−１の転送制御部１０は、制御系インタフェース１３を介してパケットＡ／Ｂを受信すると、このパケットＡ／Ｂの宛先アドレスを参照して、学習済みのアドレス（自装置のデータ系転送テーブル１２に登録済みのアドレス）か、未学習のアドレス（データ系転送テーブル１２に登録されていないアドレス）かを判定し、未学習のアドレスの場合は、このパケットＡ／Ｂを受信した制御系インタフェース１３とパケットＡ／Ｂの発信元ＭＡＣアドレスＭＡＣ−Ａとが対応することを自装置の制御系転送テーブル１１に登録する（ステップＳ６）。
【００３１】
また、コア転送装置２−１の転送制御部１０は、パケットＡ／Ｂの宛先アドレスが未学習の場合、パケットＡ／Ｂを受信した制御系インタフェース１３以外の制御系インタフェース１３にパケットＡ／Ｂを転送し（ステップＳ７）、さらにパケットＡ／ＢからＧＭＰＬＳに基づく光パス設定要求パケットを生成して、パケットＡ／Ｂを受信した制御系インタフェース１３以外の制御系インタフェース１３に光パス設定要求パケットを送信する（ステップＳ８）。
【００３２】
コア転送装置２−１から転送されたパケットＡ／Ｂは、コア転送装置２−２〜２−ｊに到着し、各コア転送装置２−２〜２−ｊの転送制御部１０によりステップＳ６〜Ｓ８と同様の処理が実行される。
【００３３】
次に、エッジ転送装置１−３〜１−ｉの各転送制御部５は、制御系インタフェース８を介してパケットＡ／Ｂを受信すると、このパケットＡ／Ｂの宛先アドレスを参照して、学習済みのアドレス（自装置のデータ系転送テーブル７に登録済みのアドレス）か、未学習のアドレス（データ系転送テーブル７に登録されていないアドレス）かを判定し、未学習のアドレスの場合は、このパケットＡ／Ｂを受信した制御系インタフェース８とパケットＡ／Ｂの発信元ＭＡＣアドレスＭＡＣ−Ａとが対応することをそれぞれ自装置の制御系転送テーブル６に登録する（ステップＳ９）。さらに、各転送制御部５は、全てのユーザインタフェース４にパケットＡ／Ｂを転送する（ステップＳ１０）。
【００３４】
ユーザ転送装置３−５〜３−ｋは、それぞれ自装置に接続している情報端末にパケットＡ／Ｂを転送する（ステップＳ１１）。ユーザ転送装置３−５に接続された情報端末Ｂは、パケットＡ／Ｂの宛先アドレスＭＡＣ−Ｂと自装置のＭＡＣアドレスとが一致するため、自装置宛のパケットと認識して受信する（ステップＳ１２）。なお、他の情報端末がパケットＡ／Ｂを受信した場合、宛先アドレスＭＡＣ−Ｂと自装置のＭＡＣアドレスとが一致しないため、パケットＡ／Ｂは廃棄される。
【００３５】
次に、逆方向すなわち情報端末Ｂから情報端末Ａに向けてパケットＢ／Ａ（第２のデータパケット）を送出する場合について図９を用いて説明する。この場合、途中のエッジ転送装置１とコア転送装置２とは、図８を用いて説明してきた制御系転送テーブル６，１１の情報を維持しているとする。情報端末ＢがパケットＢ／Ａを送出すると（ステップＳ１３）、ユーザ転送装置３−５は、情報端末ＢからのパケットＢ／Ａをエッジ転送装置１−３に転送する（ステップＳ１４）。
【００３６】
ユーザインタフェース４を介してパケットＢ／Ａを受信したエッジ転送装置１−３の転送制御部５は、このパケットＢ／Ａの宛先アドレスを参照して、学習済みのアドレスか未学習のアドレスかを判定し、未学習のアドレスの場合は、このパケットＢ／Ａを受信したユーザインタフェース４とパケットＢ／Ａの発信元ＭＡＣアドレスＭＡＣ−Ｂとが対応することを自装置の制御系転送テーブル６に登録する（ステップＳ１５）。
【００３７】
続いて、エッジ転送装置１−３の転送制御部５は、先のパケットＡ／Ｂの受信によりアドレスＭＡＣ−Ａと制御系インタフェース８との対応関係が自装置の制御系転送テーブル６に登録されているので、パケットＢ／Ａの宛先アドレスＭＡＣ−Ａに対応する制御系インタフェース８の番号を制御系転送テーブル６から取得して、この制御系インタフェース８のみにパケットＢ／Ａを転送する（ステップＳ１６）。これにより、パケットＢ／Ａは、コア転送装置２−２に転送される。
【００３８】
また、エッジ転送装置１−３の転送制御部５は、他の転送装置から光パス設定要求パケットを受信し、かつパケットＢ／Ａの宛先アドレスＭＡＣ−Ａと制御系インタフェース８との対応関係が自装置の制御系転送テーブル６に登録されている場合、光パス設定要求パケットとパケットＢ／ＡとからＧＭＰＬＳに基づく光パス設定応答パケットを生成して、この光パス設定応答パケットをステップＳ１６で取得した番号の制御系インタフェース８に送信することで、光パス設定応答パケットをコア転送装置２−２に送信する（ステップＳ１７）。
【００３９】
さらに、エッジ転送装置１−３の転送制御部５は、ＭＡＣ−ＡとＭＡＣ−ＢをＭＡＣアドレス情報とし、コア転送装置２−２に対応するデータ系インタフェース９の番号及び光パスの識別子を光パス情報として、これらを対応付けて自装置のデータ系転送テーブル７に登録すると共に、ＭＡＣ−ＡとＭＡＣ−ＢをＭＡＣアドレス情報とし、ユーザ転送装置３−５に対応するユーザインタフェース４の番号を光パス情報として、これらを対応付けてデータ系転送テーブル７に登録する（ステップＳ１８）。
【００４０】
次に、コア転送装置２−２の転送制御部１０は、制御系インタフェース１３を介してパケットＢ／Ａを受信すると、このパケットＢ／Ａの宛先アドレスを参照して、学習済みのアドレスか未学習のアドレスかを判定し、未学習のアドレスの場合は、このパケットＢ／Ａを受信した制御系インタフェース１３とパケットＢ／Ａの発信元ＭＡＣアドレスＭＡＣ−Ｂとが対応することを自装置の制御系転送テーブル１１に登録する（ステップＳ１９）。
【００４１】
続いて、コア転送装置２−２の転送制御部１０は、先のパケットＡ／Ｂの受信によりアドレスＭＡＣ−Ａと制御系インタフェース１３との対応関係が自装置の制御系転送テーブル１１に登録されているので、パケットＢ／Ａの宛先アドレスＭＡＣ−Ａに対応する制御系インタフェース１３の番号を制御系転送テーブル１１から取得して、この制御系インタフェース１３のみにパケットＢ／Ａを転送する（ステップＳ２０）。これにより、パケットＢ／Ａは、コア転送装置２−１に転送される。
【００４２】
また、コア転送装置２−２の転送制御部１０は、他の転送装置から光パス設定要求パケットを受信し、かつパケットＢ／Ａの宛先アドレスＭＡＣ−Ａと制御系インタフェース１３との対応関係が自装置の制御系転送テーブル１１に登録されている場合、光パス設定要求パケットとパケットＢ／ＡとからＧＭＰＬＳに基づく光パス設定応答パケットを生成し、この光パス設定応答パケットをステップＳ２０で取得した番号の制御系インタフェース１３に送信することで、光パス設定応答パケットをコア転送装置２−１に送信する（ステップＳ２１）。
【００４３】
さらに、コア転送装置２−２の転送制御部１０は、エッジ転送装置１−３からの光パス設定応答パケットに応じて、ＭＡＣ−ＡとＭＡＣ−ＢをＭＡＣアドレス情報とし、エッジ転送装置１−３に対応するデータ系インタフェース１４の番号及び光パスの識別子を光パス情報として、これらを対応付けて自装置のデータ系転送テーブル１２に登録すると共に、ＭＡＣ−ＡとＭＡＣ−ＢをＭＡＣアドレス情報とし、コア転送装置２−１に対応するデータ系インタフェース１４の番号及び光パスの識別子を光パス情報として、これらを対応付けてデータ系転送テーブル１２に登録する（ステップＳ２２）。
【００４４】
そして、コア転送装置２−２の転送制御部１０は、エッジ転送装置１−３からの光パス設定応答パケットに応じて自装置のデータ系転送テーブル１２を参照して、エッジ転送装置１−３に対応するデータ系インタフェース１４とコア転送装置２−１に対応するデータ系インタフェース１４との間を接続するよう自装置の光パススイッチ１５を設定し、エッジ転送装置１−３との間に光パスを確立する（ステップＳ２３）。
【００４５】
次に、コア転送装置２−１の転送制御部１０は、制御系インタフェース１３を介してパケットＢ／Ａを受信すると、このパケットＢ／Ａの宛先アドレスを参照して、学習済みのアドレスか未学習のアドレスかを判定し、未学習のアドレスの場合は、このパケットＢ／Ａを受信した制御系インタフェース１３とパケットＢ／Ａの発信元ＭＡＣアドレスＭＡＣ−Ｂとが対応することを自装置の制御系転送テーブル１１に登録する（ステップＳ２４）。
【００４６】
続いて、コア転送装置２−１の転送制御部１０は、先のパケットＡ／Ｂの受信によりアドレスＭＡＣ−Ａと制御系インタフェース１３との対応関係が自装置の制御系転送テーブル１１に登録されているので、パケットＢ／Ａの宛先アドレスＭＡＣ−Ａに対応する制御系インタフェース１３の番号を制御系転送テーブル１１から取得して、この制御系インタフェース１３のみにパケットＢ／Ａを転送する（ステップＳ２５）。これにより、パケットＢ／Ａは、エッジ転送装置１−１に転送される。
【００４７】
また、コア転送装置２−１の転送制御部１０は、他の転送装置から光パス設定要求パケットを受信し、かつパケットＢ／Ａの宛先アドレスＭＡＣ−Ａと制御系インタフェース１３との対応関係が自装置の制御系転送テーブル１１に登録されている場合、光パス設定要求パケットとパケットＢ／ＡとからＧＭＰＬＳに基づく光パス設定応答パケットを生成し、この光パス設定応答パケットをステップＳ２５で取得した番号の制御系インタフェース１３に送信することで、光パス設定応答パケットをエッジ転送装置１−１に送信する（ステップＳ２６）。
【００４８】
さらに、コア転送装置２−１の転送制御部１０は、コア転送装置２−２からの光パス設定応答パケットに応じて、ＭＡＣ−ＡとＭＡＣ−ＢをＭＡＣアドレス情報とし、コア転送装置２−２に対応するデータ系インタフェース１４の番号及び光パスの識別子を光パス情報として、これらを対応付けて自装置のデータ系転送テーブル１２に登録すると共に、ＭＡＣ−ＡとＭＡＣ−ＢをＭＡＣアドレス情報とし、エッジ転送装置１−１に対応するデータ系インタフェース１４の番号及び光パスの識別子を光パス情報として、これらを対応付けてデータ系転送テーブル１２に登録する（ステップＳ２７）。
【００４９】
そして、コア転送装置２−１の転送制御部１０は、コア転送装置２−２からの光パス設定応答パケットに応じて自装置のデータ系転送テーブル１２を参照して、コア転送装置２−２に対応するデータ系インタフェース１４とエッジ転送装置１−１に対応するデータ系インタフェース１４との間を接続するよう自装置の光パススイッチ１５を設定し、コア転送装置２−２との間に光パスを確立する（ステップＳ２８）。
【００５０】
次に、エッジ転送装置１−１の転送制御部５は、制御系インタフェース８を介してパケットＢ／Ａを受信すると、このパケットＢ／Ａの宛先アドレスを参照して、学習済みのアドレスか未学習のアドレスかを判定し、未学習のアドレスの場合は、このパケットＢ／Ａを受信した制御系インタフェース８とパケットＢ／Ａの発信元ＭＡＣアドレスＭＡＣ−Ｂとが対応することを自装置の制御系転送テーブル６に登録する（ステップＳ２９）。
【００５１】
続いて、エッジ転送装置１−１の転送制御部５は、先のパケットＡ／Ｂの受信によりアドレスＭＡＣ−Ａとユーザインタフェース４との対応関係が自装置の制御系転送テーブル６に登録されているので、パケットＢ／Ａの宛先アドレスＭＡＣ−Ａに対応するユーザインタフェース４の番号を制御系転送テーブル６から取得して、このユーザインタフェース４のみにパケットＢ／Ａを転送する（ステップＳ３０）。これにより、パケットＢ／Ａは、ユーザ転送装置３−１に転送される。
【００５２】
さらに、エッジ転送装置１−１の転送制御部５は、パケットＢ／Ａの宛先アドレスが未学習の場合、コア転送装置２−１からの光パス設定応答パケットに応じて、ＭＡＣ−ＡとＭＡＣ−ＢをＭＡＣアドレス情報とし、コア転送装置２−１に対応するデータ系インタフェース９の番号及び光パスの識別子を光パス情報として、これらを対応付けてデータ系転送テーブル７に登録することにより、コア転送装置２−１との間に光パスを確立する（ステップＳ３１）。
【００５３】
ユーザ転送装置３−１は、エッジ転送装置１−１からのパケットＢ／Ａを受信すると、自装置に接続している情報端末ＡにパケットＢ／Ａを転送する（ステップＳ３２）。
情報端末Ａは、パケットＢ／Ａの宛先アドレスＭＡＣ−Ａと自装置のＭＡＣアドレスとが一致するため、自装置宛のパケットと認識して受信する（ステップＳ３３）。
【００５４】
情報端末Ａと情報端末Ｂとの間の通信系路上にないエッジ転送装置１やコア転送装置２に光パス設定要求パケットが転送されたとしても、この転送装置１，２に光パス設定応答パケットや第２のデータパケットであるパケットＢ／Ａが届くことはない。この転送装置１，２の転送制御部５，１０は、光パス設定要求パケットを送信してから一定時間のうちにパケットＢ／Ａを受信しない場合、光パス設定要求を廃棄して初期状態に復帰する。これにより、転送装置１，２のＣＰＵ資源、メモリ資源等の資源を無駄にしないようにすることができる。
【００５５】
光パスの確立後、情報端末Ａから情報端末Ｂまでの転送経路上の転送装置１，２で転送テーブルの情報がエージングもしくは人的操作で失われていない場合、情報端末Ａから情報端末Ｂに向けてデータパケットが送出されると、このデータパケットはユーザ転送装置３−１を介してエッジ転送装置１−１に転送される。エッジ転送装置１−１の転送制御部５は、データ系転送テーブル７の設定に基づいて、先に確立したコア転送装置２−１への光パスに対応するデータ系インタフェース９にデータパケットを転送する。
【００５６】
コア転送装置２−１，２−２には既に光パスが設定されているので、テーブル参照は行われない。コア転送装置２−１において、エッジ転送装置１−１との間の光パスに対応するデータ系インタフェース１４から受信したデータパケットは、光パススイッチ１５を介してコア転送装置２−２への光パスに対応するデータ系インタフェース１４に転送される。同様に、コア転送装置２−２において、コア転送装置２−１との間の光パスに対応するデータ系インタフェース１４から受信したデータパケットは、光パススイッチ１５を介してエッジ転送装置１−３への光パスに対応するデータ系インタフェース１４に転送される。こうして、データパケットは、コア転送装置２−１からコア転送装置２−２へ光パスを用いて転送され、さらにコア転送装置２−２からエッジ転送装置１−３へ光パスを用いて転送される。
【００５７】
エッジ転送装置１−３の転送制御部５は、コア転送装置２−２との間の光パスに対応するデータ系インタフェース９から受信したパケットがデータパケットであると判断すると、データ系転送テーブル７の設定に基づいて、ユーザ転送装置３−５に対応するユーザインタフェース４にデータパケットを転送する。このデータパケットは、ユーザ転送装置３−５を介して情報端末Ｂに転送される。
【００５８】
［通信の終了］
次に、光パスが生成された対地間での通信が行われない場合の処理について説明する。図１０は、本実施の形態のオンデマンド光パス通信システムにおける通信終了時の処理を示すフローチャートである。エッジ転送装置１−１の転送制御部５は、自装置のデータ系転送テーブル７に登録された対地間（ＭＡＣアドレスＭＡＣ−ＡとＭＡＣ−Ｂの間）の通信状況をあらかじめ設定された時間間隔で周期的に観測し、観測周期内にデータパケットの転送があった場合は（ステップＳ４０においてＹＥＳ）、このデータパケットの転送に該当する制御系転送テーブル６内のエントリとデータ系転送テーブル７内のエントリとを引き続き保持する（ステップＳ４１）。
【００５９】
また、エッジ転送装置１−１の転送制御部５は、観測周期内にデータパケットの転送がなかった場合は、自装置の該当する制御系転送テーブル６内のエントリとデータ系転送テーブル７内のエントリとを削除する（ステップＳ４２）。さらに、エッジ転送装置１−１の転送制御部５は、コア転送装置２−１に対して削除対象となった光パスの解除要求を生成し、この光パス解除要求パケットを制御系インタフェース８を介してコア転送装置２−１に送信する（ステップＳ４３）。
【００６０】
コア転送装置２−１の転送制御部１０は、制御系インタフェース１３を介して光パス解除要求パケットを受信すると、この光パス解除要求に該当する自装置の制御系転送テーブル１１内のエントリとデータ系転送テーブル１２内のエントリとを削除する（ステップＳ４４）。続いて、コア転送装置２−１の転送制御部１０は、光パス解除要求に該当する光パススイッチ１５の設定を解除して、エッジ転送装置１−１との間およびコア転送装置２−２との間の光パスを開放する（ステップＳ４５）。そして、コア転送装置２−１の転送制御部１０は、光パス解除応答パケットを生成し、制御系インタフェース１３を介してエッジ転送装置１−１に送信する（ステップＳ４６）。さらに、コア転送装置２−１の転送制御部１０は、光パス解除要求パケットを生成し、制御系インタフェース１３を介してコア転送装置２−２に送信する（ステップＳ４７）。
【００６１】
コア転送装置２−２の転送制御部１０は、光パス解除要求パケットを受信すると、この光パス解除要求に該当する自装置の制御系転送テーブル１１内のエントリとデータ系転送テーブル１２内のエントリとを削除する（ステップＳ４８）。続いて、コア転送装置２−２の転送制御部１０は、光パス解除要求に該当する光パススイッチ１５の設定を解除して、コア転送装置２−１との間およびエッジ転送装置１−３との間の光パスを開放する（ステップＳ４９）。そして、コア転送装置２−２の転送制御部１０は、光パス解除応答パケットを生成し、制御系インタフェース１３を介してコア転送装置２−１に送信する（ステップＳ５０）。さらに、コア転送装置２−２の転送制御部１０は、光パス解除要求パケットを生成し、制御系インタフェース１３を介してエッジ転送装置１−３に送信する（ステップＳ５１）。
【００６２】
エッジ転送装置１−３の転送制御部５は、制御系インタフェース８を介して光パス解除要求パケットを受信すると、この光パス解除要求に該当する自装置の制御系転送テーブル６内のエントリとデータ系転送テーブル７内のエントリとを削除することにより（ステップＳ５２）、コア転送装置２−２との間の光パスを開放する（ステップＳ５３）。そして、エッジ転送装置１−３の転送制御部５は、光パス解除応答パケットを生成し、制御系インタフェース８を介してコア転送装置２−２に送信する（ステップＳ５４）。図１０に示したステップＳ４０〜Ｓ５４の処理が一定周期毎に行われる。
図８〜図１０を用いて説明した手続きが繰り返されることで、通信の状況により光パスが動的に確立／開放され、通信が行われる。
【００６３】
なお、本実施の形態におけるエッジ転送装置１とユーザ転送装置３とは、それぞれＣＰＵ、メモリ及びインタフェースを備えたコンピュータと、これらのハードウェア資源を制御するプログラムによって実現することができる。また、コア転送装置２は、同様のコンピュータ及びプログラムと、光パススイッチによって実現することができる。エッジ転送装置１、コア転送装置２、ユーザ転送装置３のいずれにおいても、ＣＰＵは、メモリに格納されたプログラムに従って本実施の形態で説明した処理を実行する。
【産業上の利用可能性】
【００６４】
本発明は、光ネットワークの転送装置に適用することができる。
【図面の簡単な説明】
【００６５】
【図１】本発明の実施の形態に係るオンデマンド光パス通信システムを簡略化した構成を示すブロック図である。
【図２】図１のオンデマンド光パス通信システムにおけるエッジ転送装置の一構成例を示す機能ブロック図である。
【図３】図２のエッジ転送装置における制御系転送テーブルの一構成例を示す図である。
【図４】図２のエッジ転送装置におけるデータ系転送テーブルの一構成例を示す図である。
【図５】図１のオンデマンド光パス通信システムにおけるコア転送装置の一構成例を示す機能ブロック図である。
【図６】図５のコア転送装置における制御系転送テーブルの一構成例を示す図である。
【図７】図５のコア転送装置におけるデータ系転送テーブルの一構成例を示す図である。
【図８】本発明の実施の形態のオンデマンド光パス通信システムにおける通信開始時の処理を示すフローチャートである。
【図９】本発明の実施の形態のオンデマンド光パス通信システムにおける通信開始時の処理を示すフローチャートである。
【図１０】本発明の実施の形態のオンデマンド光パス通信システムにおける通信終了時の処理を示すフローチャートである。
【符号の説明】
【００６６】
１−１〜１−ｉ…エッジ転送装置、２−１〜２−ｊ…コア転送装置、３−１〜３−ｋ…ユーザ転送装置、４−１〜４−Ｊ…ユーザインタフェース、５…転送制御部、６…制御系転送テーブル、７…データ系転送テーブル、８−１〜８−Ｋ…制御系インタフェース、９−１〜９−Ｌ…データ系インタフェース、１０…転送制御部、１１…制御系転送テーブル、１２…データ系転送テーブル、１３−１〜１３−Ｍ…制御系インタフェース、１４−１〜１４−Ｎ…データ系インタフェース、１５…光パススイッチ。
【図１】
2007251474.tif 000003
【図２】
2007251474.tif 000004
【図３】
2007251474.tif 000005
【図４】
2007251474.tif 000006
【図５】
2007251474.tif 000007
【図６】
2007251474.tif 000008
【図７】
2007251474.tif 000009
【図８】
2007251474.tif 000010
【図９】
2007251474.tif 000011
【図１０】
2007251474.tif 000012